(57)【要約】【課題】組み立てが容易で、気密性および保温性に優れ、汎用性に富んだダクト分岐構造を提供する。【解決手段】ダクト分岐構造１は、短円筒形状の接続部２ａと接続部２ａの外周に連接されたフランジ部２ｂとを備えた分岐部材２の接続部２ａをダクト３の隔壁３ａに開設された開口部３ｂの内側から外側へ挿通し、接続部２ａの外周に固定部材４を装着し、フランジ部２ｂと固定部材４との間にダクト３の隔壁３ａを挟持して形成されている。ダクト３の隔壁３ａから突出した分岐部材２の接続部２ａに分岐ダクト５の開口端５ａを連結し、開口端５ａと接続部２ａとの接合部分の外周にアルミ製の粘着テープ６を巻き付けて貼着することにより、分岐ダクト５が分岐部材２の接続部２ａに固定され、分岐部材２のフランジ部２ｂとダクト３の隔壁３ａの内面との間にはパッキン７が配置されている。【選択図】  図１
2006029680.tif 000002
【特許請求の範囲】
【請求項１】
短筒形状の接続部と前記接続部に連接されたフランジ部とを備えた分岐部材の前記接続部をダクトの隔壁に開設された開口部の内側から外側へ挿通し、前記接続部の外周に固定部材を装着することによって前記フランジ部と前記固定部材との間に前記ダクトの隔壁を挟持したことを特徴とするダクト分岐構造。
【請求項２】
前記固定部材として、粘着面を有する可撓性合成樹脂製の帯状固定部材を用いた請求項１記載のダクト分岐構造。
【請求項３】
前記固定部材として、伸縮性を有するリング体を用いた請求項１記載のダクト分岐構造。
【請求項４】
前記分岐部材のフランジ部と前記ダクトの隔壁との間に気密部材を介在させた請求項１〜３のいずれかに記載のダクト分岐構造。
【請求項５】
前記分岐部材のフランジ部の一部に、当該フランジ部を前記ダクトの開口部を通過させるための切欠部を設けた請求項１〜４のいずれかに記載のダクト分岐構造。
【発明の詳細な説明】
【技術分野】
【０００１】
本発明は、建築物などの空調設備の配管経路に使用されるダクトの分岐構造に関する。
【背景技術】
【０００２】
従来のダクト分岐構造としては、図５に示すように、ダクト９０の隔壁９１に開設された開口部９２の外周に、分岐部材であるニップル９３のフランジ部９３ａをパッキン９４を介して取り付け、フランジ部９３ａから隔壁９１に向かってビス９５を螺着することによってニップル９３をダクト９１に固定したものがある。この場合、ニップル９３の接続部９３ｂに分岐ダクト９６が連結され、分岐ダクト９６の端部および接続部９３ｂの周囲にダクト固定用粘着テープ９７を巻き付けることによって分岐ダクト９６がニップル９３に固定されている。この場合、ダクト固定用粘着テープ９７としては、例えば、アルミテープやダクトテープなどが使用されている。
【０００３】
また、従来のダクト分岐構造として、フランジ付きニップルをダクトの開口部の内側から外側に向かって差し込み、ニップルに設けられたばねなどの抜け防止部材をニップル外周方向に拡げてニップルをダクトに固定するもの（例えば、特許文献１参照。）がある。
【０００４】
さらに、従来のダクト分岐構造として、互いに螺合可能なメス型ピースとオス型ピースとからなるフランジ付きニップルをダクトの開口部に取り付けるものもある（例えば、特許文献２参照）。
【０００５】
【特許文献１】特開平１０−５４６０４号公報
【特許文献２】特開平１０−２３８８４８号公報
【発明の開示】
【発明が解決しようとする課題】
【０００６】
図５に示すダクト接続構造においては、ダクト９０の隔壁９１に対するニップル９３の固定手段としてビス９５が用いられているため、これらのビス９５の螺着作業が面倒であり、特に高所作業の場合、多大な労力と時間が費やされている。また、ビス９５が貫通するフランジ部９３ａなどには気密処理を施す必要がある。さらに、ダクト９０の隔壁９１はビス９５が螺合可能な硬質材料、例えば、金属材料でなければならないので、段ボールダクトなど比較的軟質の材料で形成されたダクトに対しては施工できないことがある。
【０００７】
特許文献１に記載のダクト分岐構造においては、ニップルに抜け防止手段を設けなければならないので、部品加工に手間を要するだけでなく、ニップルの外周の一部を切り起こして抜け防止手段とした場合、その部分に気密処理および保温処理を施す必要がある。
【０００８】
特許文献２に記載のダクト分岐構造においては、メス型ピースおよびオス型ピースにそれぞれ互いに螺合するねじ部を形成しなければならないので、部品加工に手間を要する。また、メス型ピースとオス型ピースとを螺合させる際には、共回りしないように一方を拘束しておく必要もあり、組立作業が面倒である。
【０００９】
本発明が解決しようとする課題は、組み立てが容易で、気密性および保温性に優れ、汎用性に富んだダクト分岐構造を提供することにある。
【課題を解決するための手段】
【００１０】
本発明のダクト分岐構造は、短筒形状の接続部と前記接続部に連接されたフランジ部とを備えた分岐部材の前記接続部をダクトの隔壁に開設された開口部の内側から外側へ挿通し、前記接続部の外周に固定部材を装着することによって前記フランジ部と前記固定部材との間に前記ダクトの隔壁を挟持したことを特徴とする。
【００１１】
このような構成とすれば、分岐部材の接続部をダクトの開口部の内側から外側へ挿通させ、接続部の外周に固定部材を装着するだけでダクトに分岐部材を固定することができるため、組み立てが容易である。また、ビスなどのねじ部材を使用せず、切り起こしなどの抜け防止手段も不要であって、ダクトおよび分岐部材に孔や切欠部を設ける必要がないので、気密性および保温性に優れている。さらに、ビスなどのねじ部材をダクトに螺着させる必要もないので、ダクトの材質が金属材料などに限定されることもなく、汎用性に富んでいる。
【００１２】
ここで、前記固定部材として、粘着面を有する可撓性合成樹脂製の帯状固定部材を用いれば、分岐部材の接続部の外周に沿って帯状固定部材を巻き付け粘着面で貼着すれば良いので、組み立て作業がさらに容易化し、気密性および保温性も向上する。
【００１３】
一方、前記固定部材として、伸縮性を有するリング体を用いることもできる。このようなリング体を用いれば、分岐部材の接続部の外周に当該リング体を装着するだけで固定することができるため、組み立て作業がさらに容易化する。また、リング体は、その伸縮性により、分岐部材の接続部の外周およびダクトの隔壁に安定的に密着するため、気密性も充分に確保することができる。さらに、リング体には粘着手段を設ける必要もないので、資材の簡素化を図ることができる。
【００１４】
また、前記分岐部材のフランジ部と前記ダクトの隔壁との間に気密部材を介在させれば、ダクトと分岐部材との間の気密性をさらに高めることができる。
【００１５】
一方、前記分岐部材のフランジ部の一部に、当該フランジ部を前記ダクトの開口部を通過させるための切欠部を設けることもできる。このような構成とすれば、分岐部材のフランジ部をダクトの隔壁に開設した開口部の外側から内側へ挿入して取り付けることが可能となるため、天井裏空間などに既に設置されているダクトにも利用することができる。
【発明の効果】
【００１６】
本発明により、以下の効果を奏する。
【００１７】
（１）短筒形状の接続部と前記接続部に連接されたフランジ部とを備えた分岐部材の前記接続部をダクトの隔壁に開設された開口部の内側から外側へ挿通し、前記接続部の外周に固定部材を装着することによって前記フランジ部と前記固定部材との間に前記ダクトの隔壁を挟持したことにより、組み立ては容易となり、気密性および保温性に優れ、汎用性に富んでいる。
【００１８】
（２）前記固定部材として、粘着面を有する可撓性合成樹脂製の帯状固定部材を用いれば、組み立て作業がさらに容易化し、気密性および保温性も向上する。
【００１９】
（３）前記固定部材として、伸縮性を有するリング体を用いれば、組み立て作業がさらに容易化するとともに、気密性も充分に確保することができ、資材の簡素化を図ることができる。
【００２０】
（４）前記分岐部材のフランジ部と前記ダクトの隔壁との間に気密部材を介在させれば、ダクトと分岐部材との間の気密性をさらに高めることができる。
【００２１】
（５）前記分岐部材のフランジ部の一部に、当該フランジ部を前記ダクトの開口部を通過させるための切欠部を設ければ、天井裏空間などに既に設置されているダクトにも利用することができる。
【発明を実施するための最良の形態】
【００２２】
以下、図面に基づいて、本発明の実施の形態であるダクト分岐構造について説明する。図１は本発明の第１実施形態であるダクト分岐構造を示す断面図である。
【００２３】
図１に示すように、本実施形態のダクト分岐構造１は、短円筒形状の接続部２ａと接続部２ａの外周に連接されたフランジ部２ｂとを備えた分岐部材２の接続部２ａをダクト３の隔壁３ａに開設された開口部３ｂの内側から外側へ挿通し、固定部材４を隔壁３ａに密着させた状態で接続部２ａの外周に装着することにより、フランジ部２ｂと固定部材４との間にダクト３の隔壁３ａを挟持して形成したものである。
【００２４】
そして、ダクト３の隔壁３ａから外側に突出した分岐部材２の接続部２ａに分岐ダクト５の開口端５ａを連結し、開口端５ａと接続部２ａとの接合部分の外周にアルミ製の粘着テープ６を巻き付けて貼着することにより、分岐ダクト５が分岐部材２の接続部２ａに固定されている。また、分岐部材２のフランジ部２ｂとダクト３の隔壁３ａの内面との間にはパッキン７が配置されている。
【００２５】
ここで、図２を参照して、図１に示すダクト分岐構造の組立方法について説明する。図２（ａ）〜（ｆ）は図１に示すダクト分岐構造の組立手順を示す工程説明図である。
【００２６】
図２（ａ）〜（ｂ）に示すように、四角筒体形状をしたダクト３の隔壁３ａの一部に分岐ダクト５の連結部分となる開口部３ｂを開設する。開口部３ｂの個数は限定されないので、施工現場の状況に応じて、必要な個数だけ開設することができる。
【００２７】
次に、図２（ｃ）に示すように、分岐部材２全体をダクト３の開口端３ｃからダクト３の内側に入れ、分岐部材２の接続部２ａをダクト３の隔壁３ａに開設された開口部３ｂの内側から外側へ挿通すると、フランジ部２ｂがダクト３の内壁に当接し、図２（ｄ）に示すように、ダクト３の隔壁３ａから接続部２ａが突出した状態となる。
【００２８】
この後、図２（ｅ）に示すように、ダクト３の外側に突出した分岐部材２の接続部２ａの外周に沿って固定部材４を装着することにより、フランジ部２ｂと固定部材４との間にダクト３の隔壁３ａを挟持した状態とする。これによって、分岐部材２はダクト３の隔壁３ａに固定される。
【００２９】
最後に、図２（ｆ）に示すように、ダクト３の外側に突出した分岐部材２の接続部２ａに、分岐ダクト５の開口端５ａを連結し、開口端５ａと接続部２ａとの接合部分の外周にアルミ製の粘着テープ６（図１参照）を巻き付けて貼着すれば、分岐ダクト５が分岐部材２の接続部２ａに固定される。
【００３０】
このように、分岐部材２の接続部２ａをダクト３の開口部３ｂの内側から外側へ挿通させ、接続部２ａの外周に固定部材４を装着するだけでダクト３に分岐部材２を固定することができるため、組み立て作業は容易である。また、ビスなどのねじ部材を全く使用せず、切り起こしなどの抜け防止手段も不要であり、ダクト３および分岐部材２に孔や切欠部を設ける必要がないので、気密性および保温性に優れている。さらに、ビスなどのねじ部材をダクト３に螺着させる必要もないので、ダクト３の材質が金属材料などに限定されることもなく、段ボールダクトなどであっても支障がないので、汎用性に富んでいる。
【００３１】
本実施形態では、固定部材４として、粘着面を有する可撓性合成樹脂製の帯状の固定部材４を用いているため、図２（ｅ）に示すように、固定部材４を接続部２ａの外周に巻き付けて粘着面を貼着するだけで、分岐部材２を固定することができる。このように、粘着面を有する可撓性合成樹脂製の帯状の固定部材４を用いることにより、組み立て作業がさらに容易化し、気密性および保温性も向上する。なお、固定部材４の素材は、例えば、ＥＰＤＭフォーム、ポリエチレンフォームなどを使用することができる。
【００３２】
また、図１で示したように、分岐部材２のフランジ部２ｂとダクト３の隔壁３ａの内面との間に気密部材であるパッキン７を介在させているため、ダクト３と分岐部材２との間の気密性が高く、調和空気の漏洩などを防止することができる。なお、パッキン７は、図２（ｃ）で示した工程において、分岐部材２の接続部２ａを開口部３ｂに挿通する際にフランジ部２ｂと隔壁３ａとの間に挟持することが望ましい。
【００３３】
本実施形態においては、図２で示したように、前もって四角筒体形状に製作されたダクト３に対して分岐部材２などを取り付けることによって図１に示すダクト分岐構造１を形成しているが、ダクト３自体を製作する前に、その材料となる板材に形成された開口部３ｂに予め分岐部材２を取り付けておくこともできる。
【００３４】
一方、図２（ｃ）に示すように、分岐部材２の代わりに、分岐部材２０を使用することも可能である。分岐部材２０は、短筒形状の接続部２０ａと、接続部２０ａに連接されたフランジ部２０ｂとを備えるとともに、フランジ部２０ｂの一部に、当該フランジ部２０ｂをダクト３の開口部３ｂを通過させるための一対の切欠部２０ｃを設けている。２つの切欠部２０ｃは１８０度間隔で互いに対向する位置に設けられ、切欠部２０ｃ間の距離はダクト３の開口部３ａの内径以下で且つ接続部２０ａの外径以上である。
【００３５】
このような分岐部材２０を用いれば、分岐部材２０のフランジ部２０ｂをダクト３の開口部３ｂの外側から内側へ挿入することが可能となるため、組み立て作業の際に、図２（ｃ）で示したように、分岐部材２を一旦ダクト３の開口端３ｃからその内側に入れる必要がない。従って、開口端３ｃのないダクトや、開口部３ｂから遠く離れた位置に開口端３ｃがあるダクト、例えば、天井裏空間などに既に設置されているダクトにも利用することができる。
【００３６】
次に、図３，図４を参照して、本発明の第２実施形態であるダクト分岐構造について説明する。図３は本発明の第２実施形態であるダクト分岐構造を示す断面図であり、図４は図３に示すダクト分岐構造の組立工程を示す斜視図である。なお、図３，図４において、図１，図２に示す符号と同符号を付している部分は、第１実施形態のダクト分岐構造１の構成部分と同じ機能、効果を発揮する部分であるため、説明を省略する。
【００３７】
図３に示すように、本実施形態のダクト分岐構造２１は、短円筒形状の接続部２ａと接続部２ａの外周に連接されたフランジ部２ｂとを備えた分岐部材２の接続部２ａをダクト３の隔壁３ａに開設された開口部３ｂの内側から外側へ挿通し、固定部材２４を隔壁３ａに密着させた状態で接続部２ａの外周に装着することにより、フランジ部２ｂと固定部材２４との間にダクト３の隔壁３ａを挟持して形成したものである。
【００３８】
固定部材２４は、伸縮性を有するリング体であるため、図４に示すように、固定部材２４を拡径させた状態にして分岐部材２の接続部２ａの外周に嵌め込み、分岐部材２の軸心方向に移動させ、隔壁３ａに密着する位置に装着するだけで分岐部材２を固定することができる。このため、組み立て作業は極めて容易である。また、リング体である固定部材２４は、その伸縮性により、分岐部材２の接続部２ａの外周およびダクト３の隔壁３ａに安定的に密着するため、充分な気密性を確保することができる。
【００３９】
さらに、伸縮性を有するリング体である固定部材２４の場合、粘着手段を設ける必要もないので、資材の簡素化を図ることができるだけでなく、一旦固定した後に固定部材２４を離脱させることも比較的容易であるため、施工後の改修などへの対応性も良好である。
【００４０】
伸縮性を有するリング体である固定部材２４の材質は天然ゴム、合成ゴムなどが好適であるが、特に限定するものではないので、伸縮性を有する素材であればその他の合成樹脂材などを用いることもできる。
【産業上の利用可能性】
【００４１】
本発明のダクト分岐構造は、建築物などの空調設備の配管経路において広く利用することができる。
【図面の簡単な説明】
【００４２】
【図１】本発明の第１実施形態であるダクト分岐構造を示す断面図である。
【図２】図１に示すダクト分岐構造の組立手順を示す工程説明図である。
【図３】本発明の第２実施形態であるダクト分岐構造を示す断面図である。
【図４】図３に示すダクト分岐構造の組立工程を示す斜視図である。
【図５】従来のダクト分岐構造を示す断面図である。
【符号の説明】
【００４３】
１，２１  ダクト分岐構造
２，２０  分岐部材
２ａ，２０ａ  接続部
２ｂ，２０ｂ  フランジ部
３  ダクト
３ａ  隔壁
３ｂ  開口部
３ｃ，５ａ  開口端
４，２４  固定部材
５  分岐ダクト
６  粘着テープ
７  パッキン
２０ｃ  切欠部
【図１】
2006029680.tif 000003
【図２】
2006029680.tif 000004
【図３】
2006029680.tif 000005
【図４】
2006029680.tif 000006
【図５】
2006029680.tif 000007